(57)【要約】【課題】ユーザの個人情報をネットワークに流出させることなくユーザの個性や嗜好に適したクーポンサービスを提供することのできるクーポン配信システムを提供する。【解決手段】クーポンサービス情報を提供する店舗の特性を表すキーワードを記憶した店舗情報データベース１８とコミュニティサービスを提供するコミュニティサイトの特性を表すキーワードを記憶したコミュニティ情報データベース１７との関連に基いて店舗の特性と合致する会員を擁するコミュニティサイトにのみ店舗のクーポンサービス情報を配信することで、ユーザを具体的に特定することなく、ユーザの個性や嗜好に適したクーポンサービスを提供する。【選択図】図１
2009217743.tif 000002
【特許請求の範囲】
【請求項１】
コミュニティサイトの会員に会員制のコミュニティサービスを提供するソーシャルネットワーキングサービス提供端末と、クーポンサービス情報の配信先となるコミュニティサイトを指定して前記ソーシャルネットワーキングサービス提供端末にクーポンサービス情報を配信するクーポン配信端末と、前記コミュニティサービスで提示されるクーポンサービス情報を前記クーポン配信端末に送信する店舗用端末と、前記ソーシャルネットワーキングサービス提供端末にアクセスして前記コミュニティサービスおよびクーポンサービス情報を利用するための会員端末と、前記ソーシャルネットワーキングサービス提供端末とクーポン配信端末と店舗用端末と会員端末を情報伝達可能に接続するネットワークとによって構成されるクーポン配信システムであって、
コミュニティサイトを特定するためのコミュニティ特定情報とコミュニティサイトの特性を表すキーワードとを対応させて登録したコミュニティ情報データベースと、店舗を特定するための店舗特定情報と店舗の特性を表すキーワードとを対応させて登録した店舗情報データベースを前記クーポン配信端末の記憶装置に記憶させると共に、
前記店舗用端末には、クーポンサービス情報と店舗特定情報とからなる配信希望データを前記クーポン配信端末に宛てて送信するための配信希望データ送信手段を設け、
前記クーポン配信端末には、前記店舗用端末から送信された配信希望データに含まれる店舗特定情報に基いて前記店舗情報データベースを検索し、該店舗特定情報に対応するキーワードを求めるキーワード特定手段と、求められたキーワードに対応するコミュニティ特定情報を前記コミュニティ情報データベースから抽出し、前記店舗用端末から送信された配信希望データに含まれるクーポンサービス情報の配信先として指定する配信先指定手段を設けたことを特徴とするクーポン配信システム。
【請求項２】
前記クーポンサービス情報を、通常のクーポンサービス情報と特典付のクーポンサービス情報とによって構成し、
前記ソーシャルネットワーキングサービス提供端末には前記会員端末によるクーポンサービス情報のダウンロードを検知して前記クーポン配信端末に当該クーポンサービス情報のダウンロードの発生を通知するダウンロード通知手段を設ける一方、
前記店舗用端末にはダウンロードされたクーポンサービス情報に基いて前記会員端末から出力されたクーポンの実際の使用を前記クーポン配信端末に通知する実使用通知手段を設け、
前記クーポン配信端末には、前記ダウンロード通知手段からの通知をクーポンサービス情報毎に計数するダウンロードカウンタと、前記実使用通知手段からの通知をクーポンサービス情報毎に計数する実使用カウンタと、前記ダウンロードカウンタおよび前記実使用カウンタの値が共に予め決められた設定値を超えているか否かを判定し、予め決められた設定値を超えていなければ通常のクーポンサービス情報を配信対象のクーポンサービス情報として選択する一方、予め決められた設定値を超えていれば特典付のクーポンサービス情報を配信対象のクーポンサービス情報として選択する配信情報選択手段を設けたことを特徴とする請求項１記載のクーポン配信システム。
【請求項３】
ソーシャルネットワーキングサービスのコミュニティサイトを特定するためのコミュニティ特定情報とコミュニティサイトの特性を表すキーワードとを対応させて登録したコミュニティ情報データベースと、店舗を特定するための店舗特定情報と店舗の特性を表すキーワードとを対応させて登録した店舗情報データベースを記憶した記憶装置に接続されたクーポン配信端末のマイクロプロセッサを、
店舗用端末から送信された配信希望データに含まれる店舗特定情報に基いて前記店舗情報データベースを検索し、該店舗特定情報に対応するキーワードを求めるキーワード特定手段、および、前記求められたキーワードに対応するコミュニティ特定情報を前記コミュニティ情報データベースから抽出し、前記店舗用端末から送信された配信希望データに含まれるクーポンサービス情報の配信先として指定する配信先指定手段として機能させることを特徴としたクーポン配信用プログラム。
【請求項４】
コミュニティサイトの会員に会員制のコミュニティサービスを提供するソーシャルネットワーキングサービス提供端末と前記ソーシャルネットワーキングサービス提供端末にクーポンサービス情報を配信するクーポン配信端末と前記コミュニティサービスで提示されるクーポンサービス情報を前記クーポン配信端末に送信する店舗用端末と前記ソーシャルネットワーキングサービス提供端末にアクセスして前記コミュニティサービスおよびクーポンサービス情報を利用するための会員端末を情報伝達可能に接続するネットワークを利用して行われるクーポン配信方法であって、
コミュニティサイトを特定するためのコミュニティ特定情報とコミュニティサイトの特性を表すキーワードとを対応させて登録したコミュニティ情報データベースと、店舗を特定するための店舗特定情報と店舗の特性を表すキーワードとを対応させて登録した店舗情報データベースを前記クーポン配信端末の記憶装置に予め記憶させておき、
前記店舗用端末が、クーポンサービス情報と店舗特定情報とからなる配信希望データを前記クーポン配信端末に宛てて送信した後、
前記クーポン配信端末が、前記店舗用端末から送信された配信希望データに含まれる店舗特定情報に基いて前記店舗情報データベースを検索し、該店舗特定情報に対応するキーワードを求め、求められたキーワードに対応するコミュニティ特定情報を前記コミュニティ情報データベースから抽出して、前記店舗用端末から送信された配信希望データに含まれるクーポンサービス情報を、前記抽出されたコミュニティ特定情報で特定されるコミュニティサービスを提供しているソーシャルネットワーキングサービス提供端末に配信することを特徴としたクーポン配信方法。
【発明の詳細な説明】
【技術分野】
【０００１】
本発明は、ソーシャルネットワーキングサービスを利用して行われるクーポンサービス情報の提供と其の利用を円滑化するためのクーポン配信システムおよびクーポン配信用プログラムとクーポン配信方法に関する。
【背景技術】
【０００２】
クーポンを配信するためのシステムとしてはクーポン雑誌やウェブサイトを利用したものが既に様々な分野で公知であるが、分厚いクーポン雑誌や錯綜したウェブサイトからユーザの好みに合ったクーポンを探し出すことが難しく、また、クーポンを提供する店舗の側でも、様々なクーポン雑誌やウェブサイトにクーポンの情報を提出しなければならず、作業効率が悪く費用も嵩むといった問題があった。
【０００３】
ユーザのニーズに的確に対処してクーポン情報を発信するためのシステムや方法としては、既に、特許文献１に開示されるようなクーポン券の配信方法や特許文献２に開示されるようなクーポン発信システムおよび特許文献３に開示されるようなモール管理システムが提案されている。
【０００４】
特許文献１に開示されるクーポン券の配信方法は、ユーザの個人情報に関わる属性、例えば、性別や年齢および年収や社会的な地位さらには酒類や衣服の嗜好といった情報をユーザから徴収し、これらの属性を区分けすることによって、各ユーザに適した広告情報を電子メール等を介して提供するようにしたものである。
【０００５】
また、特許文献２に開示されるクーポン発信システムは、ユーザの購買履歴やユーザ個人を特定するための消費者情報に基いてユーザに適したクーポンサービスを抽出し、このクーポンサービスの情報をユーザ端末に配信するようにしたものである。
【０００６】
特許文献３に開示されるモール管理システムでは、コミュニティサイトやモールといった概念が導入されてはいるが、実際には、単一の商品の情報を様々なモールやコミュニティサイトに同時並列的に掲載することで宣伝効率を高めようとしたものであり、サービスの情報自体がモールやコミュニティサイトに適したものであるか否かについては何らの考慮も払われておらず、会員同士の人的な繋がりを利用して宣伝効果を促進しようとしたものに過ぎない。
【０００７】
従って、特許文献１に開示されるクーポン券の配信方法や特許文献２に開示されるクーポン発信システムにあっては、性別や年齢および年収や社会的な地位さらには酒類や衣服の嗜好といったユーザの個人情報や購買履歴あるいは消費者情報といったものがネットワーク上で不用意に取り扱われる等のセキュリティ上の問題が発生する可能性があり、また、特許文献３に開示されるモール管理システムでは、ユーザの個性や嗜好を十分に考慮したサービス提供が行なえない不都合が生じる。
【０００８】
【特許文献１】特開２００２−１４９９４０号公報（段落００４５−００４８）
【特許文献２】特開２００６−２５２１６０号公報（段落００２６，００２９，００３１）
【特許文献３】特開２００７−１６４７１６号公報（段落０００５，００１６）
【発明の開示】
【発明が解決しようとする課題】
【０００９】
本発明の課題は、ユーザの個人情報に類するものを必要以上にネットワークに流出させることなく、ユーザの個性や嗜好に適したクーポンサービスを提供することのできるクーポン配信システムおよびクーポン配信用プログラムとクーポン配信方法を提供することにある。
【課題を解決するための手段】
【００１０】
本発明のクーポン配信システムは、コミュニティサイトの会員に会員制のコミュニティサービスを提供するソーシャルネットワーキングサービス提供端末と、クーポンサービス情報の配信先となるコミュニティサイトを指定して前記ソーシャルネットワーキングサービス提供端末にクーポンサービス情報を配信するクーポン配信端末と、前記コミュニティサービスで提示されるクーポンサービス情報を前記クーポン配信端末に送信する店舗用端末と、前記ソーシャルネットワーキングサービス提供端末にアクセスして前記コミュニティサービスおよびクーポンサービス情報を利用するための会員端末と、前記ソーシャルネットワーキングサービス提供端末とクーポン配信端末と店舗用端末と会員端末と情報伝達可能に接続するネットワークとによって構成されるクーポン配信システムであり、前記課題を達成するため、特に、
コミュニティサイトを特定するためのコミュニティ特定情報とコミュニティサイトの特性を表すキーワードとを対応させて登録したコミュニティ情報データベースと、店舗を特定するための店舗特定情報と店舗の特性を表すキーワードとを対応させて登録した店舗情報データベースを前記クーポン配信端末の記憶装置に記憶させると共に、
前記店舗用端末には、クーポンサービス情報と店舗特定情報とからなる配信希望データを前記クーポン配信端末に宛てて送信するための配信希望データ送信手段を設け、
前記クーポン配信端末には、前記店舗用端末から送信された配信希望データに含まれる店舗特定情報に基いて前記店舗情報データベースを検索し、該店舗特定情報に対応するキーワードを求めるキーワード特定手段と、求められたキーワードに対応するコミュニティ特定情報を前記コミュニティ情報データベースから抽出し、前記店舗用端末から送信された配信希望データに含まれるクーポンサービス情報の配信先として指定する配信先指定手段を設けたことを特徴とする構成を有する。
【００１１】
また、本発明のクーポン配信用プログラムは、前記と同様の課題を達成するため、ソーシャルネットワーキングサービスのコミュニティサイトを特定するためのコミュニティ特定情報とコミュニティサイトの特性を表すキーワードとを対応させて登録したコミュニティ情報データベースと、店舗を特定するための店舗特定情報と店舗の特性を表すキーワードとを対応させて登録した店舗情報データベースを記憶した記憶装置に接続されたクーポン配信端末のマイクロプロセッサを、
店舗用端末から送信された配信希望データに含まれる店舗特定情報に基いて前記店舗情報データベースを検索し、該店舗特定情報に対応するキーワードを求めるキーワード特定手段、および、前記求められたキーワードに対応するコミュニティ特定情報を前記コミュニティ情報データベースから抽出し、前記店舗用端末から送信された配信希望データに含まれるクーポンサービス情報の配信先として指定する配信先指定手段として機能させることを特徴とした構成を有する。
【００１２】
更に、本発明のクーポン配信方法は、前記と同様の課題を達成するため、コミュニティサイトの会員に会員制のコミュニティサービスを提供するソーシャルネットワーキングサービス提供端末と前記ソーシャルネットワーキングサービス提供端末にクーポンサービス情報を配信するクーポン配信端末と前記コミュニティサービスで提示されるクーポンサービス情報を前記クーポン配信端末に送信する店舗用端末と前記ソーシャルネットワーキングサービス提供端末にアクセスして前記コミュニティサービスおよびクーポンサービス情報を利用するための会員端末を情報伝達可能に接続するネットワークを利用して行われるクーポン配信方法において、
コミュニティサイトを特定するためのコミュニティ特定情報とコミュニティサイトの特性を表すキーワードとを対応させて登録したコミュニティ情報データベースと、店舗を特定するための店舗特定情報と店舗の特性を表すキーワードとを対応させて登録した店舗情報データベースを前記クーポン配信端末の記憶装置に予め記憶させておき、
前記店舗用端末が、クーポンサービス情報と店舗特定情報とからなる配信希望データを前記クーポン配信端末に宛てて送信した後、
前記クーポン配信端末が、前記店舗用端末から送信された配信希望データに含まれる店舗特定情報に基いて前記店舗情報データベースを検索し、該店舗特定情報に対応するキーワードを求め、求められたキーワードに対応するコミュニティ特定情報を前記コミュニティ情報データベースから抽出して、前記店舗用端末から送信された配信希望データに含まれるクーポンサービス情報を、前記抽出されたコミュニティ特定情報で特定されるコミュニティサービスを提供しているソーシャルネットワーキングサービス提供端末に配信することを特徴とした構成を有する。
【発明の効果】
【００１３】
本発明のクーポン配信システムおよびクーポン配信用プログラムとクーポン配信方法は、クーポンサービス情報を提供する店舗の特性を表すキーワードとコミュニティサービスを提供するコミュニティサイトの特性を表すキーワードとの関連に基いて、店舗の特性と合致する会員を擁するコミュニティサイトにのみ店舗のクーポンサービス情報を配信するようにしているので、ユーザはユーザの個人情報に類するものをネットワークに流出させる必要はなく、このユーザを会員として擁するコミュニティサイトにアクセスすることでユーザの個性や嗜好に適したクーポンサービスを利用することができ、また、店舗の側でも無関係なコミュニティサイトにクーポンサービス情報が配信される無駄がなくなり、広告費用を軽減することができる。
【発明を実施するための最良の形態】
【００１４】
次に、本発明を実施するための最良の形態について、図面を参照して詳細に説明する。
【００１５】
図１は本発明を適用した一実施形態のクーポン配信システム１の構成を簡略化して示したブロック図である。
【００１６】
この実施形態のクーポン配信システム１は、図１に示されるように、コミュニティサイトの会員に会員制のコミュニティサービスを提供するソーシャルネットワーキングサービス提供端末２と、クーポンサービス情報の配信先となるコミュニティサイトを指定してソーシャルネットワーキングサービス提供端末２にクーポンサービス情報を配信するクーポン配信端末３と、コミュニティサービスで提示されるクーポンサービス情報をクーポン配信端末３に送信する店舗用端末４と、ソーシャルネットワーキングサービス提供端末２にアクセスしてコミュニティサービスおよびクーポンサービス情報を利用するための会員端末５、および、前述のソーシャルネットワーキングサービス提供端末２とクーポン配信端末３と店舗用端末４と会員端末５を情報伝達可能に接続するインターネット等のネットワーク６とによって構成される。
【００１７】
図１では記載を省略しているが、ソーシャルネットワーキングサービス提供端末２，店舗用端末４，会員端末５の各々はネットワーク６上に幾つでも存在することができる。
【００１８】
クーポン配信端末３は、ワークステーションもしくはパーソナルコンピュータ等のコンピュータによって構成され、図２に示されるように、演算処理用のマイクロプロセッサ７と、マイクロプロセッサ７の基本的な制御プログラムを格納したＲＯＭ８と、制御用のパラメータ等を格納した不揮発性メモリ１０、および、データの一時記憶等に利用されるＲＡＭ９と、各種のアプリケーションプログラム等を格納したハードディスクドライブ等からなる記憶装置１１を備え、マイクロプロセッサ７の入出力回路１２には、マン・マシン・インターフェイスとして機能するモニタ１３とキーボード１４およびマウス１５の他、ソーシャルネットワーキングサービス提供端末２をネットワーク６に情報伝達可能に接続するための通信用インターフェイス１６が接続されている。
【００１９】
クーポン配信端末３の記憶装置１１は、コミュニティサイトを特定するためのコミュニティ特定情報とコミュニティサイトの特性を表すキーワードとを対応させて登録したコミュニティ情報データベース１７や、店舗を特定するための店舗特定情報と店舗の特性を表すキーワードとを対応させて登録した店舗情報データベース１８を記憶するための記憶手段としても機能し、この実施形態では、更に、店舗用端末４からネットワーク６を経由して送信される配信希望データを登録するための配信希望データ記憶用データベース１９が記憶装置１１内に構築されている。
【００２０】
図３はコミュニティ情報データベース１７の論理構造を簡略化して示した概念図、図４は店舗情報データベース１８の論理構造を簡略化して示した概念図、図５は配信希望データ記憶用データベース１９の論理構造を簡略化して示した概念図である。
【００２１】
コミュニティ情報データベース１７には、図３に示されるように、ソーシャルネットワーキングサービス提供端末２によって会員に提供されるコミュニティサイトの特性を表すキーワードとネットワーク６上で各コミュニティサイトを特定するためのコミュニティ特定情報とが対応して記憶されるようになっている。
図３ではコミュニティサイト毎に３つのキーワードを記憶する例について示しているが、キーワードの数に格別の制限はない。この例では“旅行”を主題としたコミュニティサイトＡが存在するものとし、このコミュニティサイトを表す特性として、“旅行”それ自体と、“旅行”と関連の深い“自動車”および“鉄道”をキーワードとして利用している。
前述した通り、ソーシャルネットワーキングサービス提供端末２はネットワーク６上に複数存在するのが普通であるから、コミュニティ特定情報としては、ネットワーク６上におけるソーシャルネットワーキングサービス提供端末２のＩＰアドレスとソーシャルネットワーキングサービス提供端末２におけるコミュニティサイトのアドレスの組み合わせ等を利用することが望ましい。
【００２２】
店舗情報データベース１８には、図４に示されるように、クーポンサービスを提供する店舗を特定するための店舗特定情報と店舗の特性を表すキーワードとが対応して記憶されるようになっている。
図４では店舗毎に３つのキーワードを記憶する例について示しているが、前記と同様、キーワードの数に格別の制限はなく、また、キーワードの数がコミュニティ情報データベース１７におけるキーワードの数と同じである必要もない。この例では“カーディーラー”の店舗ａが存在するものとし、この店舗を表す特性として、“自動車”と“バイク”および“自動車用品”をキーワードとして利用している。
通常、各店舗がネットワーク６と接続するために使用している店舗用端末４は１台であるから、店舗特定情報としては、ネットワーク６上における店舗用端末４のＩＰアドレス等を利用することができる。
【００２３】
配信希望データ記憶用データベース１９には、図５に示されるように、店舗用端末４からネットワーク６を介してクーポン配信端末３に送信された配信希望データ等が記憶されるようになっている。
【００２４】
配信希望データは、この配信希望データを送信した店舗、すなわち、店舗用端末４を特定するための店舗特定情報とクーポンサービス情報とによって構成される。
【００２５】
ここでいうクーポンサービス情報とは、ソーシャルネットワーキングサービス提供端末２上で動作するソーシャルネットワーキングサービス用アプリケーションプログラム２０やクーポン表示用プログラム２１等の機能と会員端末５のブラウザプログラム２２を利用して会員端末５のモニタ画面にクーポン券を表示するために必要とされる画像データもしくはテキストデータ、あるいは、これらの組み合わせである。
【００２６】
この実施形態では、図５に示される通り、通常のクーポンサービス情報（通常表示データ）と特典付のクーポンサービス情報（特典表示データ）とによってクーポンサービス情報が構成されている。
通常のクーポンサービス情報と特典付のクーポンサービス情報とではユーザである会員に提供されるサービスの質に違いがあり、この実施形態では、通常のクーポンサービス情報よりも特典付のクーポンサービス情報の方が会員に齎す利益が大きくなっている。例えば、クーポンサービスの内容が割引であれば、通常のクーポンサービス情報よりも特典付のクーポンサービス情報の方が割引率が大きいといった具合である。
【００２７】
この実施形態では、更に、会員に提示するクーポンサービス情報を通常のクーポンサービス情報から特典付のクーポンサービス情報に切り替える際の判定基準となる２つの設定値、つまり、ダウンロード回数設定値と実使用回数設定値、更には、クーポンの有効期限が、クーポンサービス情報と共に店舗用端末４からネットワーク６を介してクーポン配信端末３に送信されるようになっており、これらのダウンロード回数設定値と実使用回数設定値およびクーポンの有効期限が、配信希望データ記憶用データベース１９に記憶されるようになっている。
会員に提示されるクーポンサービス情報が通常のクーポンサービス情報から特典付のクーポンサービス情報に切り替えられるのは、クーポンサービス情報がソーシャルネットワーキングサービス提供端末２から会員端末５にダウンロードされた回数が前述のダウンロード回数設定値を超え、かつ、会員端末５から出力されたクーポンが店舗で実際に使用された回数が前述の実使用回数設定値を超えた場合に限られる。
【００２８】
クーポン配信端末３のマイクロプロセッサ７は、店舗用端末４から送信された配信希望データに含まれる店舗特定情報に基いて店舗情報データベース１８を検索し、店舗特定情報に対応するキーワードを店舗情報データベース１８から求めるキーワード特定手段３３、および、キーワード特定手段３３で求められたキーワードに対応するコミュニティ特定情報をコミュニティ情報データベース１７から抽出し、店舗用端末４から送信された配信希望データに含まれるクーポンサービス情報の配信先として指定する配信先指定手段３４として機能する。
また、マイクロプロセッサ７は、クーポンサービス情報がソーシャルネットワーキングサービス提供端末２から会員端末５にダウンロードされた回数をクーポンサービス情報毎に計数するダウンロードカウンタ３５、および、会員端末５から出力されたクーポンが店舗で実際に使用された回数をクーポンサービス情報毎に計数する実使用カウンタ３６としても機能する。
更に、マイクロプロセッサ７は、ダウンロードカウンタ３５の値が予め決められた設定値であるダウンロード回数設定値を超え、かつ、実使用カウンタ３６の値が予め決められた設定値である実使用回数設定値を超えているか否かを判定し、これらの値が予め決められた設定値を超えていなければ通常のクーポンサービス情報を配信対象のクーポンサービス情報として選択する一方、これらの値が予め決められた設定値を超えていれば特典付のクーポンサービス情報を配信対象のクーポンサービス情報として選択する配信情報選択手段３７としても機能する。
【００２９】
店舗用端末４は、ワークステーションもしくはパーソナルコンピュータ等のコンピュータあるいはＰＯＳレジ（Point Of Sales systemの料金収集端末）によって構成され、図６に示されるように、演算処理用のマイクロプロセッサ２３と、マイクロプロセッサ２３の基本的な制御プログラムを格納したＲＯＭ２４と、制御用のパラメータ等を格納した不揮発性メモリ２６、および、データの一時記憶等に利用されるＲＡＭ２５と、各種のアプリケーションプログラム等を格納したハードディスクドライブ２７を備え、マイクロプロセッサ２３の入出力回路２８には、マン・マシン・インターフェイスとして機能するモニタ２９とキーボード３０およびマウス３１の他、店舗用端末４をネットワーク６に情報伝達可能に接続するための通信用インターフェイス３２が接続されている。なお、店舗用端末４がＰＯＳレジで構成されている場合には、更に、タッチスキャナやバーコードリーダ等が入出力回路２８に接続されることになる。
【００３０】
クーポン配信端末３に送信するクーポンサービス情報、つまり、通常のクーポンサービス情報（通常表示データ）と特典付のクーポンサービス情報（特典表示データ）は、店舗用端末４のハードディスクドライブ２７にインストールされたドローソフトやペイントソフトを利用して生成してもよいし、入出力回路２８に接続したフラットベッドスキャナ等を利用して紙ベースの画像を取り込むようにしても構わない。
【００３１】
店舗用端末４のマイクロプロセッサ２３は、クーポンサービス情報と店舗特定情報とからなる配信希望データをクーポン配信端末３に宛てて送信するための配信希望データ送信手段３８、および、ソーシャルネットワーキングサービス提供端末２から会員端末５にダウンロードされたクーポンサービス情報に基いて会員端末５から出力されたクーポンの実際の使用をクーポン配信端末３に通知する実使用通知手段３９として機能する。
【００３２】
ソーシャルネットワーキングサービス提供端末２は、ワークステーションもしくはパーソナルコンピュータ等のコンピュータによって構成され、図７に示されるように、演算処理用のマイクロプロセッサ４０と、マイクロプロセッサ４０の基本的な制御プログラムを格納したＲＯＭ４１と、制御用のパラメータ等を格納した不揮発性メモリ４３、および、データの一時記憶等に利用されるＲＡＭ４２と、各種のアプリケーションプログラム等を格納したハードディスクドライブ４４を備え、マイクロプロセッサ４０の入出力回路４５には、マン・マシン・インターフェイスとして機能するモニタ４６とキーボード４７およびマウス４８の他、ソーシャルネットワーキングサービス提供端末２をネットワーク６に情報伝達可能に接続するための通信用インターフェイス４９が接続されている。
【００３３】
ソーシャルネットワーキングサービス提供端末２のハードディスクドライブ４４には、ソーシャルネットワーキングサービス用アプリケーションプログラム２０やクーポン表示用プログラム２１等が格納されている。
【００３４】
ソーシャルネットワーキングサービス用アプリケーションプログラム２０は、コミュニティサイトの会員に様々なコミュニティサービス、例えば、会員のプロフィールや写真を他の会員に公開する機能や、互いにメールアドレスを知られることなく別の会員にメッセージを送る機能、新しくできた友人を登録するアドレス帳機能、友人に別の友人を紹介する紹介機能、会員や友人のみに公開範囲を制限して内容を公開できる日記帳機能、趣味や地域等のテーマを決めて掲示板で交流できるコミュニティ機能、予定や友人の誕生日などを書き込めるカレンダー機能等を提供するためのものであり、また、クーポン表示用プログラム２１は、会員端末５のブラウザプログラム２２を利用して会員端末５のモニタ画面にクーポンサービス情報を表示するためのもので、何れも既に公知の機能である。
【００３５】
ソーシャルネットワーキングサービス提供端末２のマイクロプロセッサ４０は、会員端末５によるクーポンサービス情報のダウンロードを検知し、クーポン配信端末３に当該クーポンサービス情報のダウンロードの発生を通知するダウンロード通知手段５０として機能する。
【００３６】
会員端末５は、パーソナルコンピュータ等のコンピュータによって構成され、図８に示されるように、演算処理用のマイクロプロセッサ５１と、マイクロプロセッサ５１の基本的な制御プログラムを格納したＲＯＭ５２と、制御用のパラメータ等を格納した不揮発性メモリ５４、および、データの一時記憶等に利用されるＲＡＭ５３と、各種のアプリケーションプログラム等を格納したハードディスクドライブ５５を備え、マイクロプロセッサ５１の入出力回路５６には、マン・マシン・インターフェイスとして機能するモニタ５７とキーボード５８およびマウス５９の他、会員端末５をネットワーク６に情報伝達可能に接続するための通信用インターフェイス６０とプリンタ７０が接続されている。
【００３７】
会員端末５のハードディスクドライブ５５には、ソーシャルネットワーキングサービス提供端末２にアクセスしてソーシャルネットワーキングサービス用アプリケーションプログラム２０との連携で前述した様々なコミュニティサービスを受けたり、あるいは、クーポン表示用プログラム２１との連携でモニタ５７にクーポンサービス情報を表示するためのブラウザプログラム２２が格納されている。前述した通り、ブラウザプログラム２２に関しては公知である。
【００３８】
図９は店舗用端末４のマイクロプロセッサ２３を配信希望データ送信手段３８，実使用通知手段３９として機能させるべく店舗用端末４のハードディスクドライブ２７にインストールされた店舗用端末プログラムの構成の概略について示したフローチャート、図１０〜図１２はクーポン配信端末３のマイクロプロセッサ７をキーワード特定手段３３，配信先指定手段３４，ダウンロードカウンタ３５，実使用カウンタ３６，配信情報選択手段３７として機能させるべくクーポン配信端末３の記憶装置１１にインストールされたクーポン配信用プログラム６１の構成の概略について示したフローチャート、図１３はソーシャルネットワーキングサービス提供端末２のマイクロプロセッサ４０をダウンロード通知手段５０として機能させるべくソーシャルネットワーキングサービス提供端末２のハードディスクドライブ４４にインストールされたダウンロード通知用プログラム６２の構成の概略について示したフローチャートである。
【００３９】
次に、図９〜図１３を参照して本実施形態におけるクーポン配信システム１の全体的な処理動作と、クーポン配信方法における全体的な処理の流れ、ならびに、クーポン配信用プログラム６１の内容について具体的に説明する。
【００４０】
但し、ソーシャルネットワーキングサービス提供端末２はソーシャルネットワーキングサービス提供会社６３の管理下にあり、クーポン配信端末３はクーポン配信会社６４の管理下にあり、店舗用端末４は店舗管理者６５の管理下にあって、クーポンの配信に関連する店舗管理者６５とクーポン配信会社６４との間の事業契約、および、クーポン配信会社６４とソーシャルネットワーキングサービス提供会社６３との間の事業契約は既に成立しており、クーポン配信会社６４のクーポン配信端末３に接続された記憶装置１１のコミュニティ情報データベース１７には、既に、ソーシャルネットワーキングサービス提供会社６３がソーシャルネットワーキングサービス提供端末２によって会員に提供するコミュニティサイトの特性を表すキーワードとネットワーク６上でソーシャルネットワーキングサービス提供会社６３がソーシャルネットワーキングサービス提供端末２を用いて提供している各コミュニティサイトを特定するためのコミュニティ特定情報との対応関係が記憶されているものとする。
コミュニティ特定情報とキーワードとの関係はソーシャルネットワーキングサービス提供会社６３がクーポン配信会社６４に申告し、クーポン配信会社６４の側でクーポン配信端末３における記憶装置１１のコミュニティ情報データベース１７に登録する必要があるが、コミュニティ特定情報とキーワードとの関係をソーシャルネットワーキングサービス提供会社６３からクーポン配信会社６４に申告する処理に関しては、ネットワーク６を経由して行われるソーシャルネットワーキングサービス提供端末２とクーポン配信端末３の情報伝達を利用してもよいし、あるいは、書類の郵送やファックスを利用した情報の伝達によって行われても構わない。
【００４１】
図１４に示す通り、店舗管理者６５とクーポン配信会社６４との間の事業契約は、クーポンの配信を代行するクーポン配信会社６４に対する店舗管理者６５からのクーポン配信料の支払い６６と、クーポン配信会社６４におけるクーポンの配信代行義務６７を含む。また、クーポン配信会社６４とソーシャルネットワーキングサービス提供会社６３との間の事業契約は、クーポン配信会社６４から送信されたクーポンサービス情報をソーシャルネットワーキングサービス提供会社６３がソーシャルネットワーキングサービス提供端末２の機能を利用してコミュニティサービスの一環としてコミュニティサイトの会員に提示する掲載業務６８と、その見返りとしてのクーポン配信会社６４からソーシャルネットワーキングサービス提供会社６３への広告料の支払い６９を含んだものである。
【００４２】
まず、図９を参照して店舗用端末４のマイクロプロセッサ２３の処理動作と店舗用端末プログラムの内容について説明する。
【００４３】
店舗用端末４のマイクロプロセッサ２３は、まず、店舗管理者６５がキーボード３０を操作してデータ生成コマンドを入力しているか否かを判定し（ステップａ１）、データ生成コマンドが入力されていなければ、更に、店舗管理者６５がキーボード３０を操作してクーポン使用確認コマンドを入力しているか否かを判定する（ステップａ８）。
【００４４】
データ生成コマンドおよびクーポン使用確認コマンドの何れの入力も検知されなければ、店舗用端末４のマイクロプロセッサ２３は、従来と同様にして、店舗内での会計処理等に関連する公知の通常処理のみを繰り返し実行する（ステップａ１０）。
【００４５】
データ生成コマンドの入力がステップａ１の処理で検知された場合には、マイクロプロセッサ２３は、このデータ生成コマンドが当該店舗の特性を表すキーワードの組み合わせを生成するためのデータ生成コマンドであるのか（ステップａ２）、あるいは、当該店舗に固有のクーポンサービス情報を生成するためのデータ生成コマンドであるのかを判定する（ステップａ５）。
【００４６】
そして、ステップａ２の判定結果が真となった場合、つまり、キーワードの組み合わせを生成するためのデータ生成コマンドが入力された場合には、マイクロプロセッサ２３は、店舗管理者６５がキーボード３０を操作して入力するテキストデータを次々と読み込んで、例えば、“自動車”，“バイク”，“自動車用品”といったキーワードの組み合わせを生成し（ステップａ３）、このキーワードの組み合わせに店舗用端末４のＩＰアドレス等からなる店舗特定情報を添付して、ネットワーク６経由でクーポン配信端末３に送信する（ステップａ４）。
【００４７】
このようにしてクーポン配信端末３に送信されたキーワードの組み合わせと店舗特定情報は、クーポン配信端末３のマイクロプロセッサ７によって図１０におけるステップｂ１の処理で検知され、クーポン配信端末３のマイクロプロセッサ７が、キーワードの組み合わせと店舗特定情報との対応関係を図４に示されるような記憶装置１１内の店舗情報データベース１８に登録する（図１０におけるステップｂ２）。
【００４８】
また、ステップａ５の判定結果が真となった場合、つまり、この店舗に固有のクーポンサービス情報を生成するためのデータ生成コマンドが入力された場合には、店舗用端末４のマイクロプロセッサ２３は、店舗用端末４のハードディスクドライブ２７にインストールされたドローソフトやペイントソフトを利用して店舗管理者６５が行なう処理操作で入力されたスキストデータや画像データ、もしくは、入出力回路２８に接続されたフラットベッドスキャナ等を利用して取り込まれた画像データからサービスの質が異なる２種のクーポンサービス情報すなわち通常のクーポンサービス情報（通常表示データ）と特典付のクーポンサービス情報（特典表示データ）を生成し、更には、店舗管理者６５がキーボード３０を操作して入力するダウンロード回数設定値と実使用回数設定値および店舗管理者６５がキーボード３０を操作して入力するクーポンの有効期限を読み込み（以上、ステップａ６）、配信希望データ送信手段３８として機能するマイクロプロセッサ２３が、通常のクーポンサービス情報と特典付のクーポンサービス情報およびダウンロード回数設定値と実使用回数設定値ならびにクーポンの有効期限の組み合わせデータに店舗用端末４のＩＰアドレス等からなる店舗特定情報を添付して、ネットワーク６経由でクーポン配信端末３に送信する（ステップａ７）。
【００４９】
店舗用端末４からクーポン配信端末３に送信されるデータのうち、配信希望データとなるのは、通常のクーポンサービス情報と特典付のクーポンサービス情報で構成されるクーポンサービス情報と店舗特定情報の部分である。
【００５０】
そして、このようにしてクーポン配信端末３に送信された通常のクーポンサービス情報と特典付のクーポンサービス情報およびダウンロード回数設定値と実使用回数設定値ならびにクーポンの有効期限と店舗特定情報の関係は、クーポン配信端末３のマイクロプロセッサ７によって図１０におけるステップｂ３の処理で検知され、クーポン配信端末３のマイクロプロセッサ７が、通常のクーポンサービス情報と特典付のクーポンサービス情報およびダウンロード回数設定値と実使用回数設定値ならびにクーポンの有効期限と店舗特定情報の関係を図５に示されるような記憶装置１１内の配信希望データ記憶用データベース１９に登録する（図１０におけるステップｂ４）。
【００５１】
配信希望データ記憶用データベース１９に登録される情報のうち、配信希望データとなるのは、前述した通り、通常のクーポンサービス情報と特典付のクーポンサービス情報で構成されるクーポンサービス情報と店舗特定情報の部分である。
【００５２】
また、ソーシャルネットワーキングサービス提供端末２から会員端末５にダウンロードされたクーポンサービス情報に基いて会員端末５から例えばプリンタ７０を利用したプリントアウトのかたちで出力されたクーポンを持った会員が店舗内でクーポンを実際に使用した場合には、店舗管理者６５は会員の提示したクーポンの内容に応じたサービス、例えば、通常のクーポンサービスと特典付のクーポンサービスの別に応じた割り引き等のサービスを行った後、キーボード３０を操作してクーポン使用確認コマンドをマイクロプロセッサ２３に入力する。
【００５３】
この場合、マイクロプロセッサ２３がステップａ８の処理でクーポン使用確認コマンドの入力を検知し、実使用通知手段３９として機能するマイクロプロセッサ２３が、この店舗内でクーポンが実際に使用されたことを示す情報として、当該店舗に固有の店舗特定情報をネットワーク６経由でクーポン配信端末３に送信する（ステップａ７）。
【００５４】
そして、このようにしてクーポン配信端末３に送信された店舗特定情報は、クーポン配信端末３のマイクロプロセッサ７によって図１２におけるステップｂ２３の処理で検知され、実使用カウンタ３６として機能するクーポン配信端末３のマイクロプロセッサ７が、この店舗特定情報に対応する実使用カウンタ用レジスタの現在値を１インクリメントする（図１２におけるステップｂ２４）。
実使用カウンタ用レジスタは、記憶装置１１の記憶領域の一部を利用して構築されたものである。
この実施形態では店舗特定情報とクーポンサービス情報は一対一の対応関係にあるから、実使用カウンタ３６および店舗特定情報毎に設けられた実使用カウンタ用レジスタは、実際のクーポンの使用回数をクーポンサービス情報毎（店舗毎）に計数しているといって差し支えはない。
【００５５】
次に、図１０〜図１２を参照してクーポン配信端末３のマイクロプロセッサ７の処理動作とクーポン配信用プログラム６１の内容について説明する。
【００５６】
ステップｂ１〜ステップｂ５およびステップｂ２３〜ステップｂ２４の処理に関しては既に述べた通りであるから再度の説明は省略する。
【００５７】
ステップｂ３の判定処理もしくはステップｂ４の処理を終えたマイクロプロセッサ７は、次いで、記憶手段１１に記憶された図４の店舗情報データベース１８を検索するための店舗情報用検索指標ｉの値を一旦０に初期化し（ステップｂ５）、該指標ｉの値を１インクリメントした後（ステップｂ６）、店舗情報用検索指標ｉの現在値に基いて店舗情報データベース１８のｉ番目のレコードを読み込み（ステップｂ７）、当該レコードに記憶されている店舗特定情報に基いて、記憶手段１１に記憶されている図５の配信希望データ記憶用データベース１９を検索し（ステップｂ８）、ステップｂ７の処理で読み込まれた店舗特定情報が既に配信希望データ記憶用データベース１９に登録されているか否かを判定する（ステップｂ９）。
【００５８】
ステップｂ９の判定結果が真となった場合には、店舗情報データベース１８のｉ番目のレコードに記憶された店舗特定情報に対応する店舗の店舗用端末５から既に配信希望データが送られてきており、このデータが既に配信希望データ記憶用データベース１９に登録されていることを意味するので、キーワード特定手段３３として機能するマイクロプロセッサ７は、記憶手段１１に記憶された図３のコミュニティ情報データベース１７を検索するためのコミュニティ情報用検索指標ｊの値を一旦０に初期化し（ステップｂ１０）、該指標ｊの値を１インクリメントした後（ステップｂ１１）、コミュニティ情報用検索指標ｊの現在値に基いて、コミュニティ情報データベース１７のｊ番目のレコードを読み込み（ステップｂ１２）、このレコードに記憶されているキーワードの何れかが、店舗情報データベース１８のｉ番目のレコードに記憶されたキーワードの何れかと一致するか否かを判定する（ステップｂ１３）。
【００５９】
ここで、ステップｂ１３の判定結果が真となって少なくとも１つのキーワードの一致が確認された場合には、店舗情報データベース１８のｉ番目のレコードに記憶された店舗特定情報に対応して配信希望データ記憶用データベース１９に登録されているクーポンサービス情報をコミュニティ情報データベース１７のｊ番目のレコードに記憶されたコミュニティ特定情報で特定されるコミュニティサイトに配信する必要があることを意味するので、配信先指定手段３４として機能するマイクロプロセッサ７は、ステップｂ１２の処理で読み込まれたコミュニティ情報データベース１７のｊ番目のレコードに記憶されているコミュニティ特定情報、つまり、店舗用端末４から送信された配信希望データに含まれる店舗特定情報に対応するキーワードと同じキーワードを有するコミュニティ特定情報を、店舗情報データベース１８のｉ番目のレコードに記憶された店舗特定情報に対応するクーポンサービス情報の配信先の１つとしてＲＡＭ９に一時記憶する（ステップｂ１４）。
【００６０】
次いで、マイクロプロセッサ７は、コミュニティ情報データベース１７からのレコードの読み込みが全て完了しているか否かを判定するが（ステップｂ１５）、読み込みが完了していなければ、キーワード特定手段３３および配信先指定手段３４として機能するマイクロプロセッサ７は、コミュニティ情報用検索指標ｊの値をインクリメントしながら前記と同様にしてステップｂ１１〜ステップｂ１５のループ状の処理を繰り返し実行し、店舗情報データベース１８のｉ番目のレコードに記憶された店舗特定情報に対応するクーポンサービス情報の配信先となる全てのコミュニティ特定情報をコミュニティ情報データベース１７から抽出してＲＡＭ９に一時記憶する。
【００６１】
従って、例えば、コミュニティ情報データベース１７，店舗情報データベース１８，配信希望データ記憶用データベース１９が図３〜図５に示されるような状況にあって、店舗情報用検索指標ｉの現在値が１であるとすれば、ステップｂ７の処理で店舗情報データベース１８のｉ＝１番目のレコードの店舗特定情報ａが読み込まれるが、店舗特定情報ａが既に配信希望データ記憶用データベース１９に登録されていることがステップｂ８の検索処理で明らかとなるので、ステップｂ９の判定結果は真となる。
従って、ステップｂ１０およびステップｂ１１の処理でセットされたコミュニティ情報用検索指標ｊの現在値１に基いて、コミュニティ情報データベース１７のｊ＝１番目のレコードがステップｂ１２の処理で読み込まれ、コミュニティ情報データベース１７のｊ＝１番目のレコードに記憶されているキーワードである“旅行”，“自動車”，“鉄道”の何れかが、店舗情報データベース１８のｉ＝１番目のレコードに記憶されたキーワードである“自動車”，“バイク”，“自動車用品”の何れかと一致するか否かが判定される。
この場合、キーワードの１つである“自動車”が両者間で一致するので、ステップｂ１３の判定結果が真となり、ステップｂ１２の処理で読み込まれたコミュニティ情報データベース１７のｊ＝１番目のレコードに記憶されているコミュニティ特定情報つまりコミュニティ特定情報Ａが、店舗情報データベース１８のｉ＝１番目のレコードに記憶された店舗特定情報ａに対応するクーポンサービス情報（ＵａまたはＶａ）の配信先の１つとしてステップｂ１４の処理でＲＡＭ９に一時記憶されることになる。
次いで、マイクロプロセッサ７は、コミュニティ情報データベース１７からのレコードの読み込みが全て完了しているか否かをステップｂ１５の処理において判定するが、この場合、コミュニティ情報データベース１７には他のレコードつまり未だ読み込んでいないレコード記憶されているので、ステップｂ１５の判定結果は偽となり、引き続き、ステップｂ１１の処理でコミュニティ情報用検索指標ｊの値が１から２にインクリメントされる。
この結果、コミュニティ情報用検索指標ｊの現在値２に基いてコミュニティ情報データベース１７のｊ＝２番目のレコードがステップｂ１２の処理で読み込まれ、コミュニティ情報データベース１７のｊ＝２番目のレコードに記憶されているキーワードである“ボディ”，“レンズ”，“フィルタ”の何れかが、店舗情報データベース１８のｉ＝１番目のレコードに記憶されたキーワードである“自動車”，“バイク”，“自動車用品”の何れかと一致するか否かが判定されるが、この場合はキーワードの１つとして両者間で一致しないので、ステップｂ１３の判定結果は偽となる。
従って、ステップｂ１２の処理で読み込まれたコミュニティ情報データベース１７のｊ＝２番目のレコードに記憶されているコミュニティ特定情報つまりコミュニティ特定情報Ｂが、店舗情報データベース１８のｉ＝１番目のレコードに記憶された店舗特定情報ａに対応するクーポンサービス情報（ＵａまたはＶａ）の配信先の１つとしてＲＡＭ９に一時記憶されることはない。
以下、コミュニティ情報用検索指標ｊの値が３，４，５・・・と更新されて同様の処理操作が繰り返されるが、店舗情報データベース１８のｉ＝１番目のレコードに記憶されたキーワードである“自動車”，“バイク”，“自動車用品”の何れかと一致するキーワードはコミュニティ情報データベース１７のｊ＝３，４，５・・・番目の何れのレコードにも記憶されていないので、結果として、店舗情報データベース１８のｉ＝１番目のレコードに記憶された店舗特定情報ａに対応するクーポンサービス情報（ＵａまたはＶａ）の配信先としてＲＡＭ９に一時記憶されるのは、コミュニティ特定情報Ａのみということになる。
【００６２】
次いで、配信情報選択手段３７として機能するマイクロプロセッサ７は、店舗情報データベース１８のｉ番目のレコードに記憶されている店舗特定情報に対応するクーポンサービス情報がソーシャルネットワーキングサービス提供端末２から会員端末５にダウンロードされた回数を記憶するダウンロードカウンタ用レジスタの現在値を記憶装置１１から読み込み、其の値が、店舗情報データベース１８のｉ番目のレコードに記憶されている店舗特定情報に対応して図５の配信希望データ記憶用データベース１９に記憶されているダウンロード回数設定値を超えているか否かを判定する（ステップｂ１６）。
【００６３】
このダウンロードカウンタ用レジスタも、前述した実使用カウンタ用レジスタと同様、記憶装置１１の記憶領域の一部を利用して構築されたものである。この実施形態では店舗特定情報とクーポンサービス情報は一対一の対応関係にあるから、店舗特定情報毎に設けられたダウンロードカウンタ用レジスタは、クーポンのダウンロードの回数をクーポンサービス情報毎（店舗毎）に計数しているといって差し支えない。
【００６４】
ここで、ステップｂ１６の判定結果が真となってダウンロードカウンタ用レジスタの現在値がダウンロード回数設定値を超えていることが明らかとなった場合には、配信情報選択手段３７として機能するマイクロプロセッサ７は、更に、店舗情報データベース１８のｉ番目のレコードに記憶されている店舗特定情報に対応する実使用カウンタ用レジスタの現在値を記憶装置１１から読み込み、其の値が、店舗情報データベース１８のｉ番目のレコードに記憶されている店舗特定情報に対応して図５の配信希望データ記憶用データベース１９に記憶されている実使用回数設定値を超えているか否かを判定する（ステップｂ１７）。
【００６５】
そして、ステップｂ１６もしくはステップｂ１７の判定結果が偽となった場合、つまり、クーポンのダウンロードの回数と実際の使用回数のうち少なくとも一方が予め決められた設定値を超えていない場合には、配信情報選択手段３７として機能するマイクロプロセッサ７は、店舗情報データベース１８のｉ番目のレコードに記憶されている店舗特定情報に対応して図５の配信希望データ記憶用データベース１９に記憶されているクーポンサービス情報のうち通常のクーポンサービス情報（通常表示データ）を配信対象のクーポンサービス情報として選択し、このクーポンサービス情報と、店舗情報データベース１８のｉ番目のレコードに記憶されている店舗特定情報に対応して図５の配信希望データ記憶用データベース１９に記憶されている有効期限のデータと、店舗特定情報およびコミュニティ特定情報を、ＲＡＭ９に一時記憶されているコミュニティ特定情報つまりソーシャルネットワーキングサービス提供端末２のＩＰアドレスとソーシャルネットワーキングサービス提供端末２におけるアドレスで決まるコミュニティサイトの全てに宛てて配信する（ステップｂ１８）。
【００６６】
一方、ステップｂ１６およびステップｂ１７の判定結果が共に真となった場合、つまり、クーポンのダウンロードの回数および実際の使用回数が共に予め決められた設定値を超えていることが明らかとなった場合には、配信情報選択手段３７として機能するマイクロプロセッサ７は、店舗情報データベース１８のｉ番目のレコードに記憶されている店舗特定情報に対応して図５の配信希望データ記憶用データベース１９に記憶されているクーポンサービス情報のうち特典付のクーポンサービス情報（特典表示データ）を配信対象のクーポンサービス情報として選択し、このクーポンサービス情報と、店舗情報データベース１８のｉ番目のレコードに記憶されている店舗特定情報に対応して図５の配信希望データ記憶用データベース１９に記憶されている有効期限のデータと、店舗特定情報およびコミュニティ特定情報を、ＲＡＭ９に一時記憶されているコミュニティ特定情報つまりソーシャルネットワーキングサービス提供端末２のＩＰアドレスとソーシャルネットワーキングサービス提供端末２におけるアドレスで決まるコミュニティサイトの全てに宛てて配信することになる（ステップｂ１９）。
【００６７】
従って、例えば、コミュニティ情報データベース１７，店舗情報データベース１８，配信希望データ記憶用データベース１９が図３〜図５に示されるような状況にあって、店舗情報用検索指標ｉの現在値が１であるとすれば、ステップｂ１６の処理では店舗情報データベース１８のｉ＝１番目のレコードに記憶されている店舗特定情報ａに対応するダウンロードカウンタ用レジスタの現在値が記憶装置１１から読み込まれ、其の値が、店舗情報データベース１８のｉ＝１番目のレコードに記憶されている店舗特定情報ａに対応して図５の配信希望データ記憶用データベース１９に記憶されているダウンロード回数設定値Ｘａを超えているか否かが判定され、この判定結果が真となった場合には、更に、ステップｂ１７の処理において、店舗情報データベース１８のｉ＝１番目のレコードに記憶されている店舗特定情報ａに対応する実使用カウンタ用レジスタの現在値が記憶装置１１から読み込まれ、其の値が、店舗情報データベース１８のｉ＝１番目のレコードに記憶されている店舗特定情報ａに対応して図５の配信希望データ記憶用データベース１９に記憶されている実使用回数設定値Ｙａを超えているか否かが判定される。
そして、ステップｂ１６もしくはステップｂ１７の判定結果が偽となった場合、つまり、クーポンのダウンロードの回数と実際の使用回数のうち少なくとも一方が予め決められた設定値を超えていない場合にあっては、店舗情報データベース１８のｉ＝１番目のレコードに記憶されている店舗特定情報ａに対応して図５の配信希望データ記憶用データベース１９に記憶されているクーポンサービス情報Ｕａ，Ｖａのうち通常のクーポンサービス情報（通常表示データ）Ｕａが配信対象のクーポンサービス情報として選択され、このクーポンサービス情報Ｕａと、店舗情報データベース１８のｉ＝１番目のレコードに記憶されている店舗特定情報ａに対応して図５の配信希望データ記憶用データベース１９に記憶されている有効期限Ｗａと、店舗特定情報ａおよびコミュニティ特定情報Ａが、ＲＡＭ９に一時記憶されているコミュニティ特定情報つまり此の例でいえばコミュニティ特定情報Ａで特定されるコミュニティサイトに宛てステップｂ１８の処理で配信される。
また、ステップｂ１６およびステップｂ１７の判定結果が共に真となった場合、つまり、クーポンのダウンロードの回数および実際の使用回数が共に予め決められた設定値を超えている場合にあっては、店舗情報データベース１８のｉ＝１番目のレコードに記憶されている店舗特定情報ａに対応して図５の配信希望データ記憶用データベース１９に記憶されているクーポンサービス情報Ｕａ，Ｖａのうち特典付のクーポンサービス情報（特典表示データ）Ｖａが配信対象のクーポンサービス情報として選択され、このクーポンサービス情報Ｖａと、店舗情報データベース１８のｉ＝１番目のレコードに記憶されている店舗特定情報ａに対応して図５の配信希望データ記憶用データベース１９に記憶されている有効期限Ｗａと、店舗特定情報ａおよびコミュニティ特定情報Ａが、ＲＡＭ９に一時記憶されているコミュニティ特定情報つまり此の例でいえばコミュニティ特定情報Ａで特定されるコミュニティサイトに宛ててステップｂ１９の処理で配信されることになる。
【００６８】
但し、前述したステップｂ９の判定結果が偽となった場合には、この時点では未だ店舗情報データベース１８のｉ番目のレコードに記憶された店舗特定情報に対応する店舗の店舗用端末５から配信希望データが送られてきていないこと、つまり、配信すべきクーポンサービス情報が配信希望データ記憶用データベース１９に保存されていないことを意味するので、マイクロプロセッサ７は、ステップｂ１０〜ステップｂ１９に至る処理をスキップし、他の処理を実行しながら、店舗用端末５からの配信希望データの送信を待機する。
【００６９】
次いで、マイクロプロセッサ７は、店舗情報データベース１８からのレコードの読み込みが全て完了しているか否かを判定するが（ステップｂ２０）、読み込みが完了していなければ、キーワード特定手段３３，配信先指定手段３４，配信情報選択手段３７として機能するマイクロプロセッサ７は、店舗情報用検索指標ｉの値をインクリメントしながら前記と同様にしてステップｂ６〜ステップｂ２０のループ状の処理を繰り返し実行し、店舗情報データベース１８に店舗特定情報を記憶されている全ての店舗から送信されたクーポンサービス情報について其の配信先となるコミュニティ特定情報を求め、求められたコミュニティ特定情報で特定されるコミュニティサイトの全てに宛てて通常のクーポンサービス情報（通常表示データ）もしくは特典付のクーポンサービス情報（特典表示データ）の何れか一方と其の有効期限および対応する店舗特定情報とコミュニティ特定情報を配信する。
【００７０】
また、クーポンサービス情報を配信したネットワーク６上の何れかのソーシャルネットワーキングサービス提供端末２から会員端末５にクーポンサービス情報がダウンロードされた場合には、クーポンサービス情報をダウンロードされたソーシャルネットワーキングサービス提供端末２のダウンロード通知手段５０が作動し、ダウンロードされたクーポンサービス情報に対応する店舗特定情報をネットワーク６経由でクーポン配信端末３に送信してくるので、ダウンロードカウンタ３５として機能するクーポン配信端末３のマイクロプロセッサ７は、配信先であるソーシャルネットワーキングサービス提供端末２から送信された店舗特定情報をステップｂ２１の処理で検知し、この店舗特定情報に対応するダウンロードカウンタ用レジスタの現在値を１インクリメントする（ステップｂ２２）。
【００７１】
次に、図１３を参照してソーシャルネットワーキングサービス提供端末２のマイクロプロセッサ４０の処理動作とダウンロード通知用プログラム６２の内容について説明する。
【００７２】
ソーシャルネットワーキングサービス提供端末２のマイクロプロセッサ４０は、従来と同様、ソーシャルネットワーキングサービス用アプリケーションプログラム２０に従って、コミュニティサイトの会員に様々なコミュニティサービス、例えば、会員のプロフィールや写真を他の会員に公開する機能や、互いにメールアドレスを知られることなく別の会員にメッセージを送る機能、新しくできた友人を登録するアドレス帳機能、友人に別の友人を紹介する紹介機能、会員や友人のみに公開範囲を制限して内容を公開できる日記帳機能、趣味や地域等のテーマを決めて掲示板で交流できるコミュニティ機能、予定や友人の誕生日などを書き込めるカレンダー機能等を提供する通常処理を実行すると共に（ステップｃ１）、ネットワーク６を介して行われるクーポン配信端末３からの通常のクーポンサービス情報（通常表示データ）および有効期限データと店舗特定情報およびコミュニティ特定情報の入力の有無（ステップｃ２）、および、ネットワーク６を介して行われるクーポン配信端末３からの特典付のクーポンサービス情報（特典表示データ）および有効期限データと店舗特定情報およびコミュニティ特定情報の入力の有無（ステップｃ４）、ならびに、ネットワーク６を介して行われる会員端末５によるクーポンサービス情報のダウンロードの有無（ステップｃ６）を定常的に見張っている。
【００７３】
そして、ネットワーク６を介して行われるクーポン配信端末３からの通常のクーポンサービス情報（通常表示データ）および有効期限データと店舗特定情報およびコミュニティ特定情報の入力がステップｃ２の処理で検知された場合には、マイクロプロセッサ４０は、このクーポンサービス情報（通常表示データ）および有効期限データと店舗特定情報およびコミュニティ特定情報を読み込んでハードディスクドライブ４４に記憶し、会員が会員端末５を操作して此のコミュニティ特定情報に対応するコミュニティサイトにアクセスした際に、会員端末５のブラウザプログラム２２と連携して通常のクーポンサービス情報と其の有効期限を会員端末５のモニタ５７に表示させるように、公知のクーポン表示用プログラム２１の設定を行なう（ステップｃ３）。
【００７４】
また、ネットワーク６を介して行われるクーポン配信端末３からの特典付のクーポンサービス情報（特典表示データ）および有効期限データと店舗特定情報およびコミュニティ特定情報の入力がステップｃ４の処理で検知された場合には、マイクロプロセッサ４０は、このクーポンサービス情報（特典表示データ）および有効期限データと店舗特定情報およびコミュニティ特定情報を読み込んでハードディスクドライブ４４に記憶し、会員が会員端末５を操作して此のコミュニティ特定情報に対応するコミュニティサイトにアクセスした際に、会員端末５のブラウザプログラム２２と連携して特典付のクーポンサービス情報と其の有効期限を会員端末５のモニタ５７に表示させるように、公知のクーポン表示用プログラム２１の設定を行なう（ステップｃ５）。
【００７５】
そして、会員端末５のモニタ５７を見た会員がクーポンサービス情報のダウンロードを実行した場合には、マイクロプロセッサ４０は、ステップｃ６の処理でダウンロードの実行を検知し、ダウンロード通知手段５０として機能するマイクロプロセッサ４０が、ダウンロードされたクーポンサービス情報に対応してハードディスクドライブ４４に記憶されている店舗特定情報をネットワーク６経由でクーポン配信端末３に送信し、クーポン配信端末３のマイクロプロセッサ７にダウンロードの発生を通知する（ステップｃ７）。
【００７６】
従って、例えば、コミュニティ情報データベース１７，店舗情報データベース１８，配信希望データ記憶用データベース１９が図３〜図５に示されるような状況にあって、前述したクーポン配信端末３側におけるステップｂ１８の処理で送信されたクーポンサービス情報（通常表示データ）Ｕａ，有効期限Ｗａ，店舗特定情報ａ，コミュニティ特定情報Ａがステップｃ２の処理でクーポン配信端末３のマイクロプロセッサ７によって検知されたとすると、ステップｃ３の処理において、ソーシャルネットワーキングサービス提供端末２のマイクロプロセッサ４０は、クーポンサービス情報（通常表示データ）Ｕａ，有効期限Ｗａ，店舗特定情報ａ，コミュニティ特定情報Ａを対応させてハードディスクドライブ４４に記憶し、会員が会員端末５を操作してコミュニティ特定情報Ａに対応するコミュニティサイトつまり“旅行”を主題としたコミュニティサイトにアクセスした際に、クーポンサービス情報（通常表示データ）Ｕａすなわち“カーディーラー”の店舗ａから配信されたクーポンサービス情報（通常表示データ）と其の有効期限Ｗａを会員端末５のモニタ５７に表示する設定を行うことになる。
【００７７】
また、仮に、コミュニティ情報データベース１７，店舗情報データベース１８，配信希望データ記憶用データベース１９が図３〜図５に示されるような状況にあって、前述したクーポン配信端末３側におけるステップｂ１９の処理で送信されたクーポンサービス情報（特典表示データ）Ｖａ，有効期限Ｗａ，店舗特定情報ａ，コミュニティ特定情報Ａがステップｃ４の処理でクーポン配信端末３のマイクロプロセッサ７によって検知されたとすると、ステップｃ５の処理において、ソーシャルネットワーキングサービス提供端末２のマイクロプロセッサ４０は、クーポンサービス情報（特典表示データ）Ｖａ，有効期限Ｗａ，店舗特定情報ａ，コミュニティ特定情報Ａを対応させてハードディスクドライブ４４に記憶し、会員が会員端末５を操作してコミュニティ特定情報Ａに対応するコミュニティサイトつまり“旅行”を主題としたコミュニティサイトにアクセスした際に、クーポンサービス情報（特典表示データ）Ｖａすなわち“カーディーラー”の店舗から配信されたクーポンサービス情報（特典表示データ）と其の有効期限Ｗａを会員端末５のモニタ５７に表示する設定を行うことになる。
【００７８】
また、仮に、コミュニティ情報データベース１７，店舗情報データベース１８，配信希望データ記憶用データベース１９が図３〜図５に示されるような状況にあって、ステップｃ６の処理でクーポンサービス情報（通常表示データ）Ｕａのダウンロードが検知されたとするなら、ダウンロードされたクーポンサービス情報Ｕａに対応してハードディスクドライブ４４に記憶されている店舗特定情報ａがネットワーク６経由でクーポン配信端末３に送信され、クーポン配信端末３のマイクロプロセッサ７は、前述したステップｂ２１の処理で此れを検知し、ステップｂ２２の処理において、店舗特定情報ａに対応するダウンロードカウンタ用レジスタの現在値を１インクリメントすることになる。前述した通り、この実施形態では店舗特定情報（例えばａ）とクーポンサービス情報（例えばＵａ，Ｖａ）は一対一の対応関係にあるから、店舗特定情報毎に設けられたダウンロードカウンタ用レジスタは、クーポンのダウンロードの回数をクーポンサービス情報毎（店舗毎）に計数しているといって差し支えない。
【００７９】
この実施形態では、店舗用端末４上でキーワードの組み合わせを生成して店舗特定情報と共にクーポン配信端末３に送信する処理（ステップａ３，ステップａ４参照）と、店舗用端末４上でクーポンサービス情報を生成して店舗特定情報と共にクーポン配信端末３に送信する処理（ステップａ６，ステップａ７参照）とを分割して行なうようにしているが、これは、店舗情報データベース１８と配信希望データ記憶用データベース１９を分割して配信希望データ記憶用データベース１９のデータの書き換えを容易とし、店舗側でクーポンサービス情報の更新や差し替えを容易に行なえるようにするためである。
従って、クーポンサービス情報の更新や差し替えを頻繁に行なう必要性がなければ、店舗特定情報とキーワードおよびクーポンサービス情報を纏めて店舗用端末４からクーポン配信端末３に送信する構成としても構わない。
更には、店舗管理者６５からクーポン配信会社６４への店舗特定情報やキーワードの受け渡しに関しても、前述したソーシャルネットワーキングサービス提供会社６３からクーポン配信会社６４へのコミュニティ特定情報やキーワードの受け渡しと同様、書類の郵送やファックス等を利用することが可能であり、その場合は、クーポン配信会社６４の側でデータの入力処理を行なうようにする。
【００８０】
以上に述べた通り、この実施形態では、クーポンサービス情報を提供する店舗の特性を表すキーワード（図４参照）とコミュニティサイトの特性を表すキーワード（図３参照）との関連に基いて、店舗の特性と合致する会員を擁するコミュニティサイトにのみ店舗固有のクーポンサービス情報を配信するようにしているので、ユーザである会員は個人情報に類するものをネットワーク６上に流出させることなく、本人の好みに合ったコミュニティサイトにアクセスするだけの簡単な操作で、会員の個性や嗜好に適したクーポンサービスを見つけて利用することができる。
また、店舗の側でも無関係なコミュニティサイトつまりクーポンのダウンロードや実際の使用が見込まれないコミュニティサイトにクーポンサービス情報を配信する無駄が解消されるので、広告費用を軽減することができる。
その理由は、ソーシャルネットワーキングサービス（Social Networking Service）が、本来、人と人とのつながりを促進・サポートするコミュニティ型のウェブサイトであり、趣味や嗜好，居住地域，出身校等といった特定の属性を有する会員のための会員制サービスであって、コミュニティサイトの特性によって自ずと其のコミュニティサイトを利用する会員に共通する属性（例えば“旅行”が好き等）があり、この属性に応じたキーワード（例えば、“旅行”，“自動車”，“鉄道”等）を利用することで、会員自体を特定することなしに、コミュニティサイトを特定して其の会員をターゲットとするだけで会員の要求に応じたクーポンサービス情報を簡単に提供でき、しかも、コミュニティサイトを利用する会員の登録に際して会員の匿名性が許容されているからである。
【００８１】
また、図１４に示されるように、ユーザである会員７１，店舗管理者６５，クーポン配信会社６４，ソーシャルネットワーキングサービス提供会社６３の各々に利点が生まれる。つまり、ユーザである会員７１は、コミュニティサイトにアクセスするだけで手間をかけずに好みにあったクーポンを取得することができ、そのクーポンを店舗で使うことで特典を受けることができる。店舗管理者６５は、クーポン配信会社６４と契約することで（配信料を支払う）、クーポン配信会社６４の持つクーポン配信端末３のコミュニティ情報データベース１７の情報を有効に使用することができ、宣伝広告費を抑制しながらも効率よくクーポンを配信できるようになる。また、クーポン配信会社６４は、店舗管理者６５の提示するクーポンサービス情報に基いてクーポン配信会社６４の持つクーポン配信端末３のコミュニティ情報データベース１７に登録されたキーワードとマッチするコミュニティサイトへクーポンを配信（広告料を支払う）することで収益を得ることができる。ソーシャルネットワーキングサービス提供会社６３は、クーポン配信会社６４から広告料を受け取り、コミュニティサイト内にクーポンを表示する場所を提供する。
【００８２】
しかも、クーポンの配信先とするターゲットをソーシャルネットワーキングサービスのコニュニティに絞っているので、インターネット等のネットワーク６上で情報が広がり易く、ユーザである会員の口コミで信憑性の高い情報を広げられる可能性もある。
【００８３】
また、店舗管理者６５が広告費を抑えつつ効率的に質の高い客を集客できるようになるため、広告費の一部をユーザに還元することも可能であり、ユーザとしても室の高いサービスを期待できるメリットがある。
【００８４】
以上、会員端末５としてパーソナルコンピュータ等のコンピュータを利用した例について述べたが、会員端末５として携帯電話を利用してＢｌｏｇ（Weblog）のサークルに参加するような構成においても、上記と同等のクーポン配信システムを構築することが可能である。
【００８５】
Ｂｌｏｇのサークルを利用した場合の一実施形態について図１５を参照して簡単に説明する。
【００８６】
この実施形態のクーポン配信システム１ａは、図１５に示されるように、Ｂｌｏｇのサークルの会員に会員制のＢｌｏｇアプリケーションを提供するＢｌｏｇサービス提供端末２ａと、クーポンサービス情報の配信先となるサークルを指定してＢｌｏｇサービス提供端末２ａにクーポンサービス情報を配信するクーポン配信端末３と、Ｂｌｏｇサービスで提示されるクーポンサービス情報をクーポン配信端末３に送信する店舗用端末４と、Ｂｌｏｇサービス提供端末２ａにアクセスしてＢｌｏｇサービスおよびクーポンサービス情報を利用するための携帯電話５ａ、および、前述のＢｌｏｇサービス提供端末２ａとクーポン配信端末３と店舗用端末４と会員の携帯電話５ａを情報伝達可能に接続するインターネットおよび携帯電話基地局等からなるネットワーク６ａとによって構成される。
【００８７】
クーポン配信端末３と店舗用端末４の構成に関しては図１で示した実施形態の場合と同様である。
【００８８】
携帯電話５ａはＢｌｏｇサービスに対応したブラウザプログラム２２ａを不揮発性メモリに内蔵し、Ｂｌｏｇサービス提供端末２ａは記憶装置内にＢｌｏｇサービスに対応したＢｌｏｇサービス用アプリケーションプログラム２０ａとＢｌｏｇサービスに対応したクーポン表示用プログラム２１ａを内蔵している。
【００８９】
Ｂｌｏｇサービスにおいては、ソーシャルネットワーキングサービスのコミュニティに相当する概念を一般にサークルと称するが、論理的な構成に関して両者は全く同等である。
【００９０】
従って、この場合も、店舗用端末４のマイクロプロセッサに図９の処理（店舗用端末プログラム）、クーポン配信端末３のマイクロプロセッサに図１０〜図１２の処理（クーポン配信用プログラム）、Ｂｌｏｇサービス提供端末２ａのマイクロプロセッサに図１３と同等の処理（ダウンロード通知用プログラム）を実行させることで、図１〜図１４を参照して説明した実施形態と実質的に同等の機能，作用，効果を達成することができる（段落００８０〜００８３参照）。
【００９１】
但し、携帯電話５ａは、通常、プリンタ７０と接続する機能はないので、クーポンサービス情報を入手した会員が店舗でクーポンを提示する場合には、ダウンロードしたクーポンサービス情報を携帯電話５ａの不揮発性メモリに保存し、この情報を呼び出して携帯電話５ａのモニタ５７ａに表示して店舗管理者６５に見せるか、あるいは、その場で前述のコミュニティサイトに相当するＢｌｏｇサークルにアクセスし、携帯電話５ａのモニタ５７ａにクーポンサービス情報を表示して店舗管理者６５に見せるようにする。
【図面の簡単な説明】
【００９２】
【図１】本発明を適用した一実施形態のクーポン配信システムの構成を簡略化して示したブロック図である。
【図２】同実施形態のクーポン配信端末の構成を簡略化して示したブロック図である。
【図３】同実施形態のコミュニティ情報データベースの論理構造を簡略化して示した概念図である。
【図４】同実施形態の店舗情報データベースの論理構造を簡略化して示した概念図である。
【図５】同実施形態の配信希望データ記憶用データベースの論理構造を簡略化して示した概念図である。
【図６】同実施形態の店舗用端末の構成を簡略化して示したブロック図である。
【図７】同実施形態のソーシャルネットワーキングサービス提供端末の構成を簡略化して示したブロック図である。
【図８】同実施形態の会員端末の構成を簡略化して示したブロック図である。
【図９】同実施形態における店舗用端末のマイクロプロセッサを配信希望データ送信手段および実使用通知手段として機能させるべく店舗用端末のハードディスクドライブにインストールされた店舗用端末プログラムの構成の概略について示したフローチャートである。
【図１０】同実施形態におけるクーポン配信端末のマイクロプロセッサをキーワード特定手段，配信先指定手段，ダウンロードカウンタ，実使用カウンタおよび配信情報選択手段として機能させるべくクーポン配信端末の記憶装置にインストールされたクーポン配信用プログラムの構成の概略について示したフローチャートである。
【図１１】クーポン配信用プログラムの構成の概略について示したフローチャートの続きである。
【図１２】クーポン配信用プログラムの構成の概略について示したフローチャートの続きである。
【図１３】同実施形態におけるソーシャルネットワーキングサービス提供端末のマイクロプロセッサをダウンロード通知手段として機能させるべくソーシャルネットワーキングサービス提供端末のハードディスクドライブにインストールされたダウンロード通知用プログラムの構成の概略について示したフローチャートである。
【図１４】ソーシャルネットワーキングサービス提供会社とクーポン配信会社と店舗管理者とコミュニティサイトの会員との間での取り決めを示した概念図である。
【図１５】本発明を適用した他の一実施形態のクーポン配信システムの構成を簡略化して示したブロック図である。
【符号の説明】
【００９３】
１  クーポン配信システム
１ａ  クーポン配信システム
２  ソーシャルネットワーキングサービス提供端末
２ａ  Ｂｌｏｇサービス提供端末
３  クーポン配信端末
４  店舗用端末
５  会員端末
５ａ  携帯電話
６  ネットワーク
６ａ  ネットワーク
７  クーポン配信端末のマイクロプロセッサ（キーワード特定手段，配信先指定手段，ダウンロードカウンタ，実使用カウンタ，配信情報選択手段）
８  ＲＯＭ
９  ＲＡＭ
１０  不揮発性メモリ
１１  記憶装置
１２  入出力回路
１３  モニタ
１４  キーボード
１５  マウス
１６  通信用インターフェイス
１７  コミュニティ情報データベース
１８  店舗情報データベース
１９  配信希望データ記憶用データベース
２０  ソーシャルネットワーキングサービス用アプリケーションプログラム
２０ａ  Ｂｌｏｇサービス用アプリケーションプログラム
２１  クーポン表示用プログラム
２１ａ  クーポン表示用プログラム
２２  ブラウザプログラム
２２ａ  ブラウザプログラム
２３  店舗用端末のマイクロプロセッサ（配信希望データ送信手段，実使用通知手段）
２４  ＲＯＭ
２５  ＲＡＭ
２６  不揮発性メモリ
２７  ハードディスクドライブ
２８  入出力回路
２９  モニタ
３０  キーボード
３１  マウス
３２  通信用インターフェイス
３３  キーワード特定手段
３４  配信先指定手段
３５  ダウンロードカウンタ
３６  実使用カウンタ
３７  配信情報選択手段
３８  配信希望データ送信手段
３９  実使用通知手段
４０  ソーシャルネットワーキングサービス提供端末のマイクロプロセッサ（ダウンロード通知手段）
４１  ＲＯＭ
４２  ＲＡＭ
４３  不揮発性メモリ
４４  ハードディスクドライブ
４５  入出力回路
４６  モニタ
４７  キーボード
４８  マウス
４９  通信用インターフェイス
５０  ダウンロード通知手段
５１  会員端末のマイクロプロセッサ
５２  ＲＯＭ
５３  ＲＡＭ
５４  不揮発性メモリ
５５  ハードディスクドライブ
５６  入出力回路
５７  モニタ
５７ａ  モニタ
５８  キーボード
５９  マウス
６０  通信用インターフェイス
６１  クーポン配信用プログラム
６２  ダウンロード通知用プログラム
６３  ソーシャルネットワーキングサービス提供会社
６４  クーポン配信会社
６５  店舗管理者
６６  クーポン配信料の支払い
６７  配信代行義務
６８  掲載業務
６９  広告料の支払い
７０  プリンタ
７１  会員（ユーザ）
【図１】
2009217743.tif 000003
【図２】
2009217743.tif 000004
【図３】
2009217743.tif 000005
【図４】
2009217743.tif 000006
【図５】
2009217743.tif 000007
【図６】
2009217743.tif 000008
【図７】
2009217743.tif 000009
【図８】
2009217743.tif 000010
【図９】
2009217743.tif 000011
【図１０】
2009217743.tif 000012
【図１１】
2009217743.tif 000013
【図１２】
2009217743.tif 000014
【図１３】
2009217743.tif 000015
【図１４】
2009217743.tif 000016
【図１５】
2009217743.tif 000017